(57)【特許請求の範囲】
【請求項１】
少なくとも玄米投入ホッパー（１）、玄米揚送装置（２）、石抜き装置（３）、精米装置（４）、白米揚送装置（５）、白米収納タンク（６）及びそれらを制御する制御装置（７）を具備し、コイン投入口へ投入するコインの枚数に応じた設定に基づいて精米処理を行うコイン精米機において、前記白米揚送装置（５）の一端部に、該白米揚送装置（５）の外装ケース（８）内部と屋外とに連通する排気路（９）を備えると共に、他端部に、外装ケース（８）内部と屋内とを連通する通気口（１０）を備え、前記排気路（９）の内部に、前記外装ケース（８）内の空気を屋外へ誘導する除湿ファン（１１）を備えると共に、前記除湿ファン（１１）を、遅くとも前記白米揚送装置（５）が稼働する前に稼働させ、該白米揚送装置（５）の停止後一定時間遅れて停止させ得る制御装置（７）を具備するコイン精米機。
【発明の詳細な説明】
【０００１】
【発明の属する技術分野】
本発明は、コインを投入することにより稼働するコイン精米機に関する。
【０００２】
【従来の技術】
従来のコイン精米機は、比較的小型の建屋内部に設置され、年間を通じて２４時間休まずに営業しているものの、利用者によりコインが投入されない限り待機状態を保つ設定となっている。従来よりコイン精米機が設置される建屋は、簡易プレハブハウスが一般的であるために、特に冬季においては、室温が室外とかわらない程度にまで冷え込むこととなる。そのため、前記待機時間が長いと、主に鋼板材料製の機器類は完全に冷えきってしまうが、この様な環境にあっても、従来のコイン精米機は、コインの投入によって短期的には何等支障なく精米は行える。
【０００３】
【発明が解決しようとする課題】
しかしながら、冷えきった精米装置に玄米を投入して精米作業を行うと、搗精作用による摩擦により上昇した白米の穀温によって、白米が通過する機器を中心に急激に加熱され結露が生じる結果となる。殊に、白米を回収する際の作業性を考慮して精米装置の後段に付設された白米揚送装置にあっては、温度が上昇した白米を揚送するバケット付き平ベルトが、冷えきった鋼板材料より成る外装ケースに内包されている為に、白米が発生する熱がケース内部にこもり、その分結露の発生が顕著となる。
【０００４】
機器の表面に発生した結露は、該表面への浮遊糠の付着を促進し、又、利用の度に結露と付着を繰り返すことによって、やがて厚く堆積する。この様に厚く堆積した糠は、結露時の水分を吸収して機器の乾燥を阻害するために、機器の錆び付きや、堆積した糠に発生したカビの白米への混入といった問題を引き起こす。この様な結露は、機械室内の室温を約１５℃以上に保つことによって防止できるものの、暖房装置の２４時間の無人運転は防災上問題があり、暖房を行うことによる暖房費の発生により従来の利用料金では採算が取れないという問題もある。
【０００５】
本発明は上記実情に鑑みて成されたものであって、主に白米が通過する機器において冬季に発生する結露を防止し得るコイン精米機の提供を目的とする。
【０００６】
【課題を解決するための手段】
上記課題を解決するために成された本発明によるコイン精米機は、少なくとも玄米投入ホッパー、玄米揚送装置、石抜き装置、精米装置、白米揚送装置、白米収納タンク及びそれらを制御する制御装置を具備し、コイン投入口へ投入するコインの枚数に応じた設定に基づいて精米処理を行うコイン精米機において、前記白米揚送装置の一端部に、該白米揚送装置の外装ケース内部と屋外とに連通する排気路を備えると共に、他端部に、外装ケース内部と屋内とを連通する通気口を備え、前記排気路の内部に、前記外装ケース内の空気を屋外へ誘導する除湿ファンを備えることを特徴とする。前記除湿ファンは、遅くとも前記白米揚送装置が稼働する前に稼働させ、該白米揚送装置の停止後一定時間遅れて停止させることが望ましい。
【０００７】
【発明の実施の形態】
以下本発明によるコイン精米機の一例を図面に基づき説明する。
このコイン精米機は、図２の如く機械室１２と客室１３とで仕切った建屋１４に設置するもので、機械室１２側に配設するものとして、玄米投入ホッパー１、玄米揚送装置２、石抜き装置３、精米装置４、白米揚送装置５及び白米収納タンク６を備え、客室１３側に設けるものとして、前記玄米投入ホッパー１への投入口１５、操作盤１６、白米収納タンク６から白米を取り出す為の回収口１７を備えるものであり、いわゆるマイクロコンピュータシステム等による制御装置７を内蔵した前記操作盤１６のコイン投入口へ投入するコインの枚数に応じた設定に基づいて精米処理を行うものである。
【０００８】
玄米投入ホッパー１は、玄米を投入する際の作業性を考慮して低い位置に設置され、該玄米投入ホッパー１へ入れられた玄米は、玄米揚送装置２によって高位に搬送され、精米装置４の上方に配設された石抜き装置３を経て、該精米装置４内部の搗精室１８に連通する供給ホッパー１９へ送られる。玄米揚送装置２の出口通路２０は、玄米の種類に応じて流路を切り替え得るように、切り替えダンパー２１を挟んで２つの枝路に分かれており、各枝路の出口下方に、うるち米用及びもち米用の石抜き装置３，３が各々配設され、搗精室１８に繋がる供給ホッパー１９は、両石抜き装置３，３の排出口の下方を合せ受ける形で配設される。
【０００９】
精米装置４は、図１の如く、精米モーター２２の駆動力がプーリー及びベルト２３を介して伝達された搗精ロール２４を回転自在に内包する搗精室１８と、該搗精室１８から糠を排出するブロア２５とで構成され、搗精室１８の白米排出口には、精米の度合いを調節する抵抗板２６が設けられている。搗精室１８の周壁２７には糠が通る網目が設けてあり、該周壁２７の外側には、集糠ダクト２８が配設され、該集糠ダクト２８は、図１矢印の如く糠を機外へ搬送し得る力を持った気流を発生する前記ブロア２５に連結されている。該ブロア２５は、精米モーター２２の駆動力を、ブロア２５の回転軸に装着されたプーリーに掛けられたベルト２９を介して受けとることにより稼働し、精米時においては、前記の如く糠を搗精室１８の外部へ排出する。
【００１０】
一方、前記搗精ロール２４の回転により玄米時の糠層を剥ぎ落された米は、白米排出路３０を経て前記白米揚送装置５の白米揚送ホッパー３１へ供給され、該白米揚送装置５によって、白米の取り出しが容易となる高さに取出口３２を位置せしめるべく比較的高位に配設された白米収納タンク６の上位にまで運び上げられ、該白米収納タンク６の回収ホッパー３３へと供給される。該白米収納タンク６内の白米は、該白米収納タンク６の取出口３２に収納袋の口をあてがいつつ、レバー３４の操作により使用者が弁を開くことによって回収することができる。
【００１１】
白米揚送装置５は、例えば、平ベルト３５に複数のバケット３６を間隔をおいて付設した構造、或いはベルトコンベア的な構造の揚送装置本体３７を、鋼板材料等より成る外装ケース８に内包するといった物が挙げられる。外装ケース８の一端部たる上部には、除湿ファン１１が取り付けられ、該除湿ファン１１によって送風される側は、建屋１４の側壁を貫通し建屋１４の外部にまで至る排気路９が配設されている。逆に、該除湿ファン１１によって吸気される側、即ち、白米揚送装置５の外装ケース８内等は、該除湿ファン１１の作用で負圧と成るものの、前記白米揚送装置５の白米揚送ホッパー３１における白米流入口や、白米揚送装置５の外装ケース８の下部に設けた通気口１０から、外部の空気が外装ケース８内へ引き入れられる。その結果、該外装ケース８内部の換気が積極的に行われることとなり、外装ケース８内部における結露が防止される。
【００１２】
白米揚送装置５に付設された除湿ファン１１の稼働状況は、前記操作盤１６の内部に収められたいわゆるコンピュータシステム等による制御装置７によって、図３のフローチャートに示す通り制御される。玄米投入ホッパー１へ玄米を投入し所定料金に相当するコインを投入すると、操作盤１６のＬＥＤ等が点灯して利用者による諸設定の受付が可能となり、前記玄米投入ホッパー１へ投入する米の種類の選択など所定の操作を行うことによって、切り替えダンパー２１が選択された側の枝路を開き他方を閉じ、その後、玄米揚送装置２及び投入される玄米専用の石抜き装置３が起動する。該玄米揚送装置２によって搬送された玄米を精米装置４の供給ホッパー１９内のセンサー３８が検出すると、所定時間Ｔ１経過した後に、精米装置４及び白米揚送装置５と共に、前記除湿ファン１１が起動し白米揚送装置５の外装ケース８内部における換気が開始される。
【００１３】
その後、精米装置４の供給ホッパー１９内から玄米が無くなり、センサー３８がＯＦＦになると、精米装置４の搗精室１８内並びに白米揚送装置５上に米が無くなるまでの時間Ｔ２経過後、玄米揚送装置２、精米装置４、石抜き装置３及び白米揚送装置５を停止し、操作盤１６のＬＥＤ等を消灯させ客に精米の終了を知らせる。精米終了後直ちに除湿ファン１１を停止すると、白米揚送装置５の内部に湿気を含んだ空気が残留し結露が生じる原因となるので、当該除湿ファン１１は、その後も換気を継続し所定時間Ｔ３経過後停止する。
【００１４】
【発明の効果】
以上のごとく本発明によるコイン精米機を使用すれば、冷えきった精米装置に玄米を投入して直ちに精米作業を行ったとしても、白米揚送装置など白米が通過する機器に結露が生じず、該表面への浮遊糠の付着も少なくなって、機器の錆び付きという問題や、堆積した糠に発生したカビが白米へ混入するといった問題が解消する。
【図面の簡単な説明】
【図１】本発明によるコイン精米機の一例を示す前方より見た断面図である。
【図２】本発明によるコイン精米機の一例を示す側方より見た断面図である。
【図３】本発明によるコイン精米機の除湿ファンの稼働状況を示すフローチャートである。
【図４】本発明によるコイン精米機の制御系統の一例を示すブロック図である。
【符号の説明】
１  玄米投入ホッパー
２  玄米揚送装置
３  石抜き装置
４  精米装置
５  白米揚送装置
６  白米収納タンク
７  制御装置
８  外装ケース
９  排気路
１０  通気口
１１  除湿ファン
【図１】
0003720159.tif 000002
【図２】
0003720159.tif 000003
【図３】
0003720159.tif 000004
【図４】
0003720159.tif 000005